(57)【要約】      （修正有）【課題】反力係数を大きくし、かつゴルフボールを打った際の接触時間が長く、優れたゴルフボールのコントロール及び打撃効果を達成する。【解決手段】シャフト部と、打撃プレート部１１０と、打撃プレート部と一緒になってヘッド本体を形成するシェル部１２０と、シェル部に配置したパワーゾーン部１３０とを含むゴルフクラブヘッド１００を提供する。パワーゾーン部は、式：（Ｓ／Ｗ）＝４〜４０及び（ｄ１＋ｄ２）／ｄ１＝１．６〜６を満たす。ここに、Ｓは外表面に沿って打撃プレート部の中心からパワーゾーン部の端部までの距離であり、Ｗはパワーゾーン部の幅であり、ｄ１はシェル部の厚さであり、ｄ２はパワーゾーン部の厚さである。【選択図】図１
0003134767.tif 000002
【実用新案登録請求の範囲】
【請求項１】
打撃プレート部と、
打撃プレート部と一緒になってヘッド本体を形成するシェル部と、
シェル部に配置したパワーゾーン部とを含むゴルフクラブヘッドであり、
パワーゾーン部は、下記式を満たすゴルフクラブヘッド。
（Ｓ／Ｗ）＝４〜４０及び
（ｄ１＋ｄ２）／ｄ１＝１．６〜６
（ここに、Ｓは外表面に沿って打撃プレートの中心からパワーゾーン部の端部までの距離であり、Ｗはパワーゾーン部の幅であり、ｄ１はシェル部の厚さであり、ｄ２はパワーゾーン部の厚さである。）
【請求項２】
Ｓは１２０ｍｍ未満である、請求項１に記載のゴルフクラブヘッド。  
【請求項３】
Ｓは一定である、請求項１または２記載のゴルフクラブヘッド。  
【請求項４】
Ｗは一定である、請求項１乃至３のいずれかに記載のゴルフクラブヘッド。  
【請求項５】
ｄ１は一定である、請求項１乃至４のいずれかに記載のゴルフクラブヘッド。  
【請求項６】
ｄ２は一定である、請求項１乃至５のいずれかに記載のゴルフクラブヘッド。  
【請求項７】
パワーゾーン部の厚さｄ２は打撃プレート部から外方に向かって徐々に変化する、請求項１乃至６のいずれかに記載のゴルフクラブヘッド。
【請求項８】
パワーゾーン部は連続パターンからなる、請求項１乃至７のいずれかに記載のゴルフクラブヘッド。  
【請求項９】
パワーゾーン部は複数のサブ・パターンを含む不連続パターンからなる、請求項１乃至７のいずれかに記載のゴルフクラブヘッド。  
【請求項１０】
サブ・パターンはリング状に配置した複数の細片を含む、請求項１乃至９のいずれかに記載のゴルフクラブヘッド。
【請求項１１】
各々の該細片の中心から他の隣接する細片の中心までの距離が一定である、請求項１０に記載のゴルフクラブヘッド。
【請求項１２】
サブ・パターンは複数のサブ・リングを含む、請求項９乃至１１のいずれかに記載のゴルフクラブヘッド。
【請求項１３】
サブリングは平行に配置されている、請求項１２に記載のゴルフクラブヘッド。
【請求項１４】
各々の該サブリングの中心線から他の隣接するサブリングの中心線までの距離が一定である、請求項１３に記載のゴルフクラブヘッド。
【請求項１５】
各々の該サブリングの中心線から他の隣接するサブリングの中心線までの距離が打撃プレート部から外方に向かって徐々に変化する、請求項１３に記載のゴルフクラブヘッド。  
【請求項１６】
各々の上記サブ・パターンは、複数の細片を含む、請求項１２乃至１５のいずれかに記載のゴルフクラブヘッド。
【請求項１７】
各々の該細片の中心から他の隣接する細片の中心までの距離が一定である、請求項１６に記載のゴルフクラブヘッド。  
【請求項１８】
打撃プレート部がシェル部と一体に形成されている、請求項１乃至１７のいずれかに記載のゴルフクラブヘッド。
【請求項１９】
パワーゾーン部がシェル部と一体に形成されている、請求項１乃至１８のいずれかに記載のゴルフクラブヘッド。
【請求項２０】
シャフト部と、
打撃プレート部と、
打撃プレート部と一緒になってヘッド本体を形成するシェル部と、
シェル部に配置したパワーゾーン部とを含むゴルフクラブであり、
パワーゾーン部は、下記式を満たすゴルフクラブ。
（Ｓ／Ｗ）＝４〜４０及び
（ｄ１＋ｄ２）／ｄ１＝１．６〜６
（ここに、Ｓは外表面に沿って打撃プレート部の中心からパワーゾーン部の端部までの距離であり、Ｗはパワーゾーン部の幅であり、ｄ１はシェル部の厚さであり、ｄ２はパワーゾーン部の厚さである。）
【考案の詳細な説明】
【技術分野】
【０００１】
本考案は、一般的にゴルフクラブヘッドに関する。より詳しく述べると、本考案は、反力係数（Ｃｏｅｆｆｉｃｉｅｎｔ ｏｆ ｒｅａｃｔｉｏｎ：ＣＯＲ）が高いゴルフクラブに関する。
【背景技術】
【０００２】
スポーツは益々人気が出てきており、ゴルフは既に最も広く楽しまれるスポーツの一つとなってきている。また、ゴルフスポーツに参加する人の数も急速に増えてきている。ゴルフでは、目的及びコースの地形も様々なので、ゴルフプレイで使用されるゴルフクラブは、ウッズクラブ、アイアンクラブ、パター等の異なったタイプのものに分類される。
【０００３】
ウッズクラブに関しては、そのヘッドは、典型的にはシェル部と、ボールを打つために用いるシェル部上の打撃プレート部とを有する。ゴルフクラブヘッドでゴルフボールを打つ際には、打撃プレート部は大きな衝撃を受けてゴルフボールに反力を与え、それによってゴルフボールは反力から伝わる運動エネルギーを得て遠くに飛ぶようになる。従って、反力を大きくし、かつ運動エネルギーの大部分をゴルフボールに伝達するために、大きな反力係数（ＣＯＲ）が必要とされる。さらに、ボールのコントロール及び打撃効果を改善するためには、ゴルフボールと打撃プレート部との接触時間は長い方が好ましい。
【考案の開示】
【考案が解決しようとする課題】
【０００４】
従って、本考案は、反力係数が大きくかつゴルフボールを打った際に接触時間が長いゴルフクラブヘッドに関する。
【０００５】
さらに、本考案は、上記ゴルフクラブヘッドを有しかつ優れたボールコントロール及び打撃効果を与えるゴルフクラブに関する。
【０００６】
本明細書に本考案を具体化して広範に記載するが、本考案は、打撃プレート部と、打撃プレート部と一緒になってヘッド本体を形成するシェル部と、シェル部上に配置したパワーゾーン部とを含む。パワーゾーン部は、式：（Ｓ／Ｗ）＝４〜４０、（ｄ１＋ｄ２）／ｄ１＝１．６〜６を満たす。ここに、Ｓは外表面に沿う打撃プレート部の中心からパワーゾーン部の端部までの距離であり、Ｗはパワーゾーン部の幅であり、ｄ１はシェル部の厚さであり、ｄ２はパワーゾーン部の厚さである。
【０００７】
本考案の実施態様によれば、Ｓは１２０ｍｍ未満となっている。
【０００８】
本考案の実施態様によれば、Ｓは一定である。
【０００９】
本考案の実施態様によれば、Ｗは一定である。
【００１０】
本考案の実施態様によれば、ｄ１は一定である。
【００１１】
本考案の実施態様によれば、ｄ２は一定である。
【００１２】
本考案の実施態様によれば、パワーゾーン部の厚さｄ２は打撃プレート部から外方に向かって徐々に変化する。
【００１３】
本考案の実施態様によれば、パワーゾーン部は連続パターンからなる。
【００１４】
本考案の実施態様によれば、パワーゾーン部は複数のサブ・パターンを含む不連続パターンからなる。
【００１５】
例えば、サブ・パターンはリング状に配置した複数の細片を含んでも良い。また、各々の該細片の中心から他の隣接する細片までの距離を一定とすることができる。
【００１６】
さらに、サブ・パターンは複数のサブリングを含んでも良い。サブリングは平行に配置することもできる。各々の該サブリングの中心線から他の隣接するサブリングの中心線までの距離を一定とすることができる。あるいは、各々の該サブリングの中心線から他の隣接するサブリングの中心線までの距離を、打撃プレート部から外方に向かって徐々に変化させることもできる。
【００１７】
各々の上記サブ・パターンは、さらに複数の細片を含んでも良い。各々の該細片の中心から他の隣接する細片の中心までの距離を一定とすることができる。
【００１８】
本考案の実施態様によれば、打撃プレート部をシェル部と一体に形成することができる。
【００１９】
本考案の実施態様によれば、パワーゾーン部をシェル部と一体に形成することができる。
【００２０】
また、本考案は、シャフトと上記ゴルフクラブヘッドとを含み、シャフトはゴルフクラブヘッドの本体に連結されているゴルフクラブを提供するものである。パワーゾーン部は打撃プレート部近傍の位置から外側のシェル部に配置され、好ましくは、パワーゾーン部はシャフトがシェル部の外表面に連結されている位置よりも外側のシェル部に設けられる。パワーゾーン部はシェル部の外表面あるいは内表面のいずれに設けても良いが、外観の観点からパワーゾーン部はシェル部の外表面に設けることが好ましい。
【００２１】
従って、本考案では、ゴルフクラブヘッドのシェル部にパワーゾーン部を形成し、ゴルフクラブヘッドを用いてゴルフボールを打った際の反力係数を大きくしかつ接触時間を長くする。ゆえに、優れたゴルフボールのコントロール及び打撃効果を達成することができる。
【００２２】
添付する図面は本考案の更なる理解を助けるものとして含めたものであって、本明細書中に取り込み本明細書の一部を構成するものである。図面は本考案の複数の実施態様を示すもので、考案の記載と相俟って、本考案の原理を説明することに供される。
【考案の効果】
【００２３】
本考案では、ゴルフクラブヘッドのシェル部にパワーゾーン部を形成する。この構成により、ゴルフクラブヘッドを用いてゴルフボールを打つ際に、打撃エネルギーがゴルフクラブヘッドの後方部に伝わるのを防止する。言い換えると、打撃エネルギーをゴルフクラブヘッドの前方部に制限して、ゴルフクラブヘッドの反力係数を増大させるものである。さらに、ゴルフクラブヘッドの前方部に打撃エネルギーを集中させることによって構造的により大きな変形を生じさせ、ゴルフボールと打撃プレート部との間の接触時間を長くするものである。従って、ボールのコントロール及び打撃効果を改善することができる。
【考案を実施するための最良の形態】
【００２４】
以下に、本考案で提案するゴルフクラブヘッドを説明するため、いくつかの具体的な実施態様を含める。
【００２５】
ここで、本考案の実施態様に詳細に言及し、該実施態様を添付する図面に例示する。可能な限り、図中及び考案の説明中、同一及び類似の部分には同一の参照符号を用いる。
【００２６】
図１は、本考案のジェネリックな実施態様に係るゴルフクラブヘッドを示す。図１において、ゴルフクラブヘッド１００は、打撃プレート部１１０、シェル部１２０及びパワーゾーン部１３０を含み、シェル部１２０は打撃プレート部１１０と一緒に作成され本体１０２を形成し、パワーゾーン部１３０はシェル部１２０の内壁上に形成されている。本実施例では、パワーゾーン部は周方向に連続している（図２、図３、図５、図６、図８も同じ）。ゴルフクラブヘッド本体１０２及びパワーゾーン部１３０の組み立てには制限は設けられていない。例えば、打撃プレート部１１０をシェル部１２０と一体に形成することもでき、あるいは打撃プレート部を別に作成した後適当な手段でシェル部１２０と結合することもできる。さらに、パワーゾーン部１３０は、シェル部１２０と一体に形成することもでき、あるいはシェル部１２０を作製した後に形成することもできる。
【００２７】
本実施態様では、パワーゾーン部１３０は、以下の式を満足するように形成されている。
（Ｓ／Ｗ）＝４〜４０かつ
（ｄ１＋ｄ２）／ｄ１＝１．６〜６
上記式中、Ｓは外表面に沿った打撃プレート部１１０の中心からパワーゾーン部１３０の端部までの距離であり、Ｗはパワーゾーン部１３０の幅であり、ｄ１はシェル部１２０の厚さであり、ｄ２はパワーゾーン部１３０の厚さである。上記式に従ってゴルフクラブヘッド１００を形成すると、優れたボールコントロール及び打撃効果を得ることができる。より好ましいボールコントロール及び打撃効果を得るためには、距離Ｓを１２０ｍｍに限定することもできるが、本考案は、距離Ｓを限定するものでは決してない。例えば、各パラメータｄ１、ｄ２、Ｓ及びＷを一定とすることもできるし、あるいはゴルフクラブヘッド１００の構造上の設計要件によってはそれらを可変とすることもできる。
【００２８】
具体的に述べると、図１に示すように、パワーゾーン部１３０によってゴルフクラブヘッド１００の本体部１０２を前方部１０４ａと後方部１０４ｂとに分割する。ゴルフクラブヘッド１００を用いてゴルフボールを打つと、本体部１０２の打撃プレート部１１０はゴルフボールを打ち、打撃エネルギーを受け、その際に本体部１０２が変形する。上述の通り、パワーゾーン部１３０により分割されているので、打撃エネルギーは本体部１０２の後方部１０４ｂから分離された本体部１０２の前方部１０４ａに限定され、それによって、本体部１０２の前方部１０４ａに集中して変形が生じる。従って、ゴルフクラブヘッド１００の反力係数が増大する。さらに、本体部１０２の前方部１０４ａに変形が集中しかつその変形はより大きくなっているので、ゴルフボールと打撃プレート部１１０との接触時間は長くなる。これによって、ボールコントロール及び打撃効果が改善される。
【００２９】
以下においては、本考案のパワーゾーン部の構造を他の実施態様によって詳細に開示する。図２乃至図７は、本考案の他の実施態様に係る異なったタイプのパワーゾーン部を図示している。上記実施例においてゴルフクラブヘッドの本体の構造については既に記載をしたので、詳細な内容はここでは繰り返さない。
【００３０】
まず、図２にテーパを付けたパワーゾーン部２３０を有するゴルフクラブヘッド２００を図示するが、ここではパワーゾーン部２３０の厚さｄ２は打撃プレート部２１０から外方に向かって徐々に薄くなっている。テーパ状のパワーゾーン部２３０は、ゴルフクラブヘッドを用いてゴルフボールを打った際の衝撃を低減しボールのコントロール及び打撃効果を改善することができる。
【００３１】
図３は、連続したリングパターンからなるパワーゾーン部３３０を有するゴルフクラブヘッド３００を模式的に示す（パワーゾーン部の厚さの表示を略す。以下、図４乃至図７も同様）。本実施態様では、パワーゾーン部３３０は均一な厚さで均一な幅を有する。打撃プレート部３１０の中心からパワーゾーン部３３０の端部までの距離Ｓは一定となっている。
【００３２】
図４は、複数のサブ・パターン６３２からなる不連続なパターンで構成されたパワーゾーン部４３０を有するゴルフクラブヘッド４００を示す。本実施態様では、サブ・パターン４３２は、リングを形成するように配置された複数の細片とされている。さらに、各々の細片の中心から他の隣接する細片の中心までの距離は一定となっている。なお、本実施態様では、各細片の幅及び長さはそれぞれ実質的に同一となっている。
【００３３】
図５は、複数のサブリング５３２を含む不連続パターンにより構成されたパワーゾーン部５３０を有するゴルフクラブヘッド５００を示す。本実施例では、サブリング５３２は互いに平行に配置されている。さらに、各々のサブリング５３２の中心線から他の隣接するサブリング５３２の中心線までの距離Ｙは一定となっている。なお、本実施態様では、各細片の幅は実質的に同一となっている。
【００３４】
図６は、ピッチが異なる複数のサブリング６３２を含む不連続パターンにより構成されたパワーゾーン部６３０を有する他のゴルフクラブヘッド６００を示す。本実施例では、サブリング６３２は互いに平行に配置することができる。さらに、各々のサブリング６３２の中心線から他の隣接するサブリング６３２の中心線までの距離Ｙは、打撃プレート部６１０から外側に向かって徐々に短くなっている。なお、本実施態様では、各細片の幅も長さもそれぞれ実質的に同一となっている。種々のピッチとしたサブリング６３２により、ゴルフクラブヘッドを用いてゴルフボールを打つ際の衝撃を低減し、ボールのコントロール及び打撃効果を改善することができる。
【００３５】
さらに、図７は、異なるタイプのサブリング７３２を有する他のゴルフクラブヘッド７００を図示するもので、ここでは各々のサブリング７３２は複数の細片７３２ａを含む。各々の細片７３２ａの中心から他の隣接する細片７３２ａの中心までの距離Ｘは一定となっており、各々のサブリング７３２の中心線から他の隣接するサブリング７３２の中心線までの距離Ｙも一定となっている。なお、本実施態様では、各細片７３２ａの幅及び長さもそれぞれ実質的に同一となっている。
【００３６】
上記実施態様で述べたデザイン以外については、本考案においては種々の特定の要請に基づいて他の種々の変形、変更を行うこともできる。例えば、従来のゴルフクラブの固有の材料特性あるいは構造デザイン上の理由から、ゴルフクラブヘッドの好ましい打撃領域が制限される可能性があること及び該打撃領域が正常なものではなくなるということを考慮して、上記細片あるいは上記サブリングのピッチ、シェル部あるいはパワーゾーン部の厚さ、パワーゾーン部の幅あるいは打撃プレート部とパワーゾーン部との間の距離を変更して、ゴルフクラブヘッドの理想的な打撃ポイント（すなわち、スイートスポット）を調整し、打撃許容度を拡大し、ゴルフクラブヘッドの打撃効果を改善することができる。当該技術分野における技術者であれば、このことを本考案の上記開示内容に基づいて容易に理解すべきことであるので、詳細については本明細書では省略する。
【００３７】
図８には、本考案の実施態様に係るゴルフクラブを図示する。ゴルフクラブ８００は、シャフト８１０とゴルフクラブヘッド８２０とを含み、ゴルフクラブヘッド８２０は打撃プレート部８２２、シェル部８２４及びパワーリング８２６とから構成されている。打撃プレート部８２２とシェル部８２４とにより本体８２０ａが形成され、本体部８２０ａはシャフトに接続されゴルフクラブ８００を形成している。ここでは、ゴルフクラブヘッドは、上述した種類のいずれかのゴルフクラブヘッドとすることができる。上述のゴルフクラブヘッドを採用することにより、ゴルフクラブ８００はゴルフプレーヤに対して優れたボールコントロール及び打撃効果を付与することができる。
【００３８】
本考案の範囲あるいは精神から逸脱することなく、本考案の構造に対して種々の修正及び変更を行うことができることは、当該技術の技術者には明らかであろう。上記記載を考慮すれば、特許請求の範囲及びその均等物の範囲に入ることを条件として、本考案は該考案の種々の変形、変更をも包含することを意図するものである。
【図面の簡単な説明】
【００３９】
【図１】本考案のジェネリックな実施態様に係るゴルフクラブヘッドを示す。
【図２】本考案の他の実施態様に係る異なるタイプのゴルフクラブヘッドを図示する。
【図３】本考案のさらに他の実施態様に係る異なるタイプのゴルフクラブヘッドを図示する。
【図４】本考案のさらに他の実施態様に係る異なるタイプのゴルフクラブヘッドを図示する。
【図５】本考案のさらに他の実施態様に係る異なるタイプのゴルフクラブヘッドを図示する。
【図６】本考案のさらに他の実施態様に係る異なるタイプのゴルフクラブヘッドを図示する。
【図７】本考案のさらに他の実施態様に係る異なるタイプのゴルフクラブヘッドを図示する。
【図８】本考案の実施態様に係るゴルフクラブを示す。
【符号の説明】
【００４０】
１００、２００、３００、４００、５００、６００、７００、８００・・・ゴルフクラブヘッド、１０４ａ，１０４ｂ・・・ゴルフクラブヘッド本体部の前方部、後方部、１１０、２１０、３１０、６１０、８２２・・・打撃プレート部、１２０、８２４・・・シェル部、１３０、２３０、３３０、４３０、５３０、・・・パワーゾーン部、４３２・・・サブパターン、５３２、６３２、７３２・・・サブリング、７３２ａ・・・細片、８１０・・・シャフト８１０、８２０・・・ゴルフクラブヘッド８２０、８２６・・・パワーリング８２６、Ｓ・・・外表面に沿って打撃プレート部の中心からパワーゾーン部の端部までの距離、Ｗ・・・パワーゾーン部の幅であり、ｄ１はシェル部の厚さ、ｄ２・・・パワーゾーン部の厚さ
【図１】
0003134767.tif 000003
【図２】
0003134767.tif 000004
【図３】
0003134767.tif 000005
【図４】
0003134767.tif 000006
【図５】
0003134767.tif 000007
【図６】
0003134767.tif 000008
【図７】
0003134767.tif 000009
【図８】
0003134767.tif 000010